(57)【要約】【課題】デザイン性を損なうことなく、簡易な作業でガイド機構と座体との連結を解除できる椅子を提供する。【解決手段】椅子１において、ガイド機構５は、座体６の下面６ｃに固定されるフランジ部５２ａを備え、座体６とフランジ部５２ａとが第一ねじ４１により組付けられ、カバー部材８とフランジ部５２ａとが第二ねじ４２により組付けられ、カバー部材８には、カバー部材８を貫通する貫通孔８ｃが開口され、カバー部材８とフランジ部５２ａとを組付けた際には、貫通孔８ｃを介して第一ねじ４１が露出する。【選択図】図３
2019083950.tif 000002
【特許請求の範囲】
【請求項１】
下端部が床面に固定されて上端部が上方に延出された脚柱と、前記脚柱の上端部に設けられたガイド機構と、前記ガイド機構の上面に支持された座体と、前記座体の下側で前記ガイド機構を被覆するカバー部材と、を備える椅子であって、
前記ガイド機構は、前記座体の下面に固定されるフランジ部を備え、
前記座体と前記フランジ部とが第一固定具により組付けられ、
前記カバー部材と前記フランジ部とが第二固定具により組付けられ、
前記カバー部材には、前記カバー部材を貫通する貫通孔が開口され、
前記カバー部材と前記フランジ部とを組付けた際には、前記貫通孔を介して前記第一固定具が露出する、椅子。
【請求項２】
前記カバー部材は、少なくとも二つに分割可能とされる、請求項１に記載の椅子。
【請求項３】
前記カバー部材が有底筒状に形成され、
前記カバー部材は第一カバー部材と、第二カバー部材とに分割可能とされ、
前記第一カバー部材と前記第二カバー部材との少なくとも一方の底部には切り欠き部が形成され、
前記第一カバー部材と前記第二カバー部材とを組付けた際に、前記切り欠き部の縁が閉塞されて、前記カバー部材の底部において前記脚柱が挿通される挿通孔が形成される、請求項１に記載の椅子。
【請求項４】
前記第一カバー部材と前記第二カバー部材との重畳部分が、前記第二固定具により前記フランジ部に組付けられる、請求項３に記載の椅子。
【発明の詳細な説明】
【技術分野】
【０００１】
本発明は椅子に関し、詳細には学校の講堂等において机と組み合わせて講義用システムを構成する椅子に関するものである。
【背景技術】
【０００２】
従来、学校の講堂等において机と複数の椅子とを組み合わせて講義用システムを構成する際に、椅子における脚柱と座体とをガイド機構を介して連結することにより、座体を前後方向にスライド移動させる技術が知られている（例えば、特許文献１を参照）。特許文献１には、ガイド機構をカバー部材で被覆することにより、外部へのグリスの露出やガイド機構への異物の混入を防ぐとともにデザイン性を向上させた椅子が記載されている。
【先行技術文献】
【特許文献】
【０００３】
【特許文献１】特開２００９−１８９５９８号公報
【発明の概要】
【発明が解決しようとする課題】
【０００４】
上記の如く構成した椅子において、交換やメンテナンスのために座体をガイド機構から取り外す場合がある。この際、ガイド機構と座体との連結部分を露出させるためにカバー部材を取り外す必要があるため、作業者による作業負担が大きくなっていた。一方、ガイド機構と座体との連結部分をカバー部材の外側に形成した場合、著しくデザイン性を損なうという問題があった。
【０００５】
本発明は以上の如き状況に鑑みてなされたものであり、本発明が解決しようとする課題は、デザイン性を損なうことなく、簡易な作業でガイド機構と座体との連結を解除できる椅子を提供することである。
【課題を解決するための手段】
【０００６】
本発明は、上記課題を解決するために、以下に構成する椅子を提供する。
【０００７】
（１）
下端部が床面に固定されて上端部が上方に延出された脚柱と、前記脚柱の上端部に設けられたガイド機構と、前記ガイド機構の上面に支持された座体と、前記座体の下側で前記ガイド機構を被覆するカバー部材と、を備える椅子であって、前記ガイド機構は、前記座体の下面に固定されるフランジ部を備え、前記座体と前記フランジ部とが第一固定具により組付けられ、前記カバー部材と前記フランジ部とが第二固定具により組付けられ、前記カバー部材には、前記カバー部材を貫通する貫通孔が開口され、前記カバー部材と前記フランジ部とを組付けた際には、前記貫通孔を介して前記第一固定具が露出する、椅子。
【０００８】
（２）
前記カバー部材は、少なくとも二つに分割可能とされる、（１）記載の椅子。
【０００９】
（３）
前記カバー部材が有底筒状に形成され、前記カバー部材は第一カバー部材と、第二カバー部材とに分割可能とされ、前記第一カバー部材と前記第二カバー部材との少なくとも一方の底部には切り欠き部が形成され、前記第一カバー部材と前記第二カバー部材とを組付けた際に、前記切り欠き部の縁が閉塞されて、前記カバー部材の底部において前記脚柱が挿通される挿通孔が形成される、（１）記載の椅子。
【００１０】
（４）
前記第一カバー部材と前記第二カバー部材との重畳部分が、前記第二固定具により前記フランジ部に組付けられる、（３）記載の椅子。
【発明の効果】
【００１１】
以上における本発明に係る椅子は、以下に示す効果を奏する。
【００１２】
（１）の構成によれば、椅子のデザイン性を損なうことなく、簡易な作業でガイド機構と座体との連結を解除できる。
【００１３】
（２）の構成によれば、カバー部材の組付け性を向上させることができる。
【００１４】
（３）の構成によれば、床面に固定した脚柱にガイド機構及び座体を組付けた後でも、カバー部材を容易にガイド機構に組付けることができ、また、椅子のデザイン性を向上させることができる。
【００１５】
（４）の構成によれば、カバー部材の組付け効率を向上させるとともに、固定具等の部品点数を削減し、椅子の重量及びコストを抑制することができる。
【図面の簡単な説明】
【００１６】
【図１】一実施形態に係る椅子を示す後方斜視図。
【図２】椅子を備える講義用システムを示す側面図。
【図３】同じく椅子を示す下方斜視図。
【図４】同じく椅子を示す底面図。
【図５】図４におけるＸ−Ｘ線断面図。
【発明を実施するための形態】
【００１７】
以下では図１から図５を用いて、本発明の一実施形態に係る椅子１について説明する。図１中に示す矢印は椅子１の方向を示している。図２に示す如く、椅子１は学校の講堂等において机２と組み合わされて講義用システムを構成する。この際、一台の机２に対して複数脚（例えば３〜４脚）の椅子１を組み合わせることにより、一組の講義用システムが構成される。
【００１８】
本実施形態に係る椅子１は、脚柱４と、ガイド機構５と、座体６と、カバー部材８と、を主な構成要素として備える。本実施形態に係る椅子１において、脚柱４及びガイド機構５は鉄又はアルミニウム等の金属製部材を中心に構成される。また、座体６は木材、カバー部材８は樹脂製素材を中心に構成される。ただし、各構成部材の素材については限定されるものではない。
【００１９】
脚柱４は、その下端部４ｂが板状のベース体３を介して床面Ｆに固定された角筒状部材である。具体的には脚柱４の下端部４ｂにベース体３が溶接等により固着され、このベース体３が固定具であるボルトＢによって床面Ｆに固定されるのである。脚柱４の上端部４ｔは少し後方に傾いた上方に向かって延出される。ガイド機構５は脚柱４の上端部４ｔに設けられる。
【００２０】
ガイド機構５の上面には座体６が支持される。座体６は略水平方向に広がる曲面部である座部６ａと、座部６ａの後端から上方に向かって広がる曲面部である背もたれ部６ｂと、で一体的に構成されている。
【００２１】
図３に示す如く、ガイド機構５は、脚柱４の上端部４ｔにねじにより固定される支持部材５１と、支持部材５１に対して前後方向に相対変位可能に組付けられるスライド部材５２と、を備える。スライド部材５２には左右の側方に延出されるフランジ部５２ａが形成される。フランジ部５２ａは座部６ａの下面６ｃに、第一固定具である第一ねじ４１により固定される（図５を参照）。なお、フランジ部５２ａをスライド部材５２の前後方向に形成する構成とすることも可能である。また、フランジ５２ａを連続した鍔状部として形成せずに、第一ねじ４１及び第二ねじ４２による固定部分のみに、前後に分割して形成しても差し支えない。
【００２２】
支持部材５１は回動可能な複数のローラ（不図示）を備え、これらのローラはスライド部材５２に設けられた複数のレール部５４の内部で回動可能とされる。また、支持部材５１には支持ギヤ（不図示）が回動可能に支持され、スライド部材５２には支持ギヤと噛み合うレールギヤ５６が固定されている。
【００２３】
上記構成において、スライド部材５２に対して支持部材５１と前後方向に相対変位する方向に力が加わると、支持ギヤの上側においてレールギヤ５６が支持ギヤを回動させながらスライドする。また、レール部５４の内部でローラを回動させながらレール部５４がスライドする。これにより、支持部材５１に対してスライド部材５２が前後方向に相対変位するのである。支持部材５１に対するスライド部材５２の変位により、座体６は脚柱４に対して前後方向に相対変位される（図２における二点鎖線を参照）。
【００２４】
ガイド機構５は下側からカバー部材８によって被覆される。詳細には図５に示す如く、カバー部材８の左右両側面で外側に膨出して形成された固定部８ｂが、スライド部材５２のフランジ部５２ａに第二固定具である第二ねじ４２により固定される。カバー部材８の固定部８ｂには、カバー部材８をフランジ部５２ａに組付けた際に第一ねじ４１の直下で対向する部分に、カバー部材８を貫通する貫通孔８ｃが開口されている。貫通孔８ｃの内径は第一ねじ４１の外径よりも幾分大きな寸法で形成されている。
【００２５】
本実施形態において、カバー部材８は有底筒状に形成され、第一カバー部材である前部カバー８１と、第二カバー部材である後部カバー８２と、に分割可能に構成されている。後部カバー８２の底部には、前側に開口する切り欠き部８２ａが形成されている。前部カバー８１と後部カバー８２とを互いに組付けた際には、前部カバー８１により後部カバー８２の切り欠き部８２ａが閉塞される。これにより、カバー部材８の底部に挿通孔８ａが形成される。図３に示す如く、カバー部材８をスライド部材５２に組付けた際には、挿通孔８ａに脚柱４が挿通される。
【００２６】
次に、椅子１を組み立てる手順について、図２及び図５を用いて説明する。本実施形態に係る椅子１は略左右対称形状に形成され、組み立ても左右同時に行うため、以下では椅子１の左側の組付け構成について説明し、右側の組付け構成については詳細な説明を省略する。
【００２７】
椅子１を組み立てる作業者はまず、ボルトＢによってベース体３及び脚柱４を床面Ｆに固定する。次に、ガイド機構５の支持部材５１をねじによって脚柱４の上端部４ｔに固定する。
【００２８】
次に、座体６の座部６ａを第一ねじ４１によってスライド部材５２のフランジ部５２ａに固定する。詳細には図５に示す如く、座部６ａを貫通して開口された固定孔６ｄに、鍔付きナット４３を上方から挿入する。また、フランジ部５２ａに開口された挿通孔５２ｂに第一ねじ４１を下方から挿入する。そして、第一ねじ４１と鍔付きナット４３とを螺合することにより、座部６ａとフランジ部５２ａとが固定されるのである。この際、座部６ａとフランジ部５２ａとの間には、スペーサＳが介挿される。図４に示す如く、第一ねじ４１と鍔付きナット４３とによる座部６ａとフランジ部５２ａとの固定箇所は、座部６ａにおける右前・左前・右後・左後の四箇所に設けられる。
【００２９】
次に、カバー部材８の固定部８ｂを第二ねじ４２によってスライド部材５２のフランジ部５２ａに固定する。詳細には図５に示す如く、後部カバー８２に開口された固定孔８２ｂに第二ねじ４２を下方から挿入する。そして、第二ねじ４２をフランジ部５２ａに形成された雌ねじ孔５２ｃに螺入することにより、後部カバー８２とフランジ部５２ａとが固定されるのである。この際、前部カバー８１と後部カバー８２とは互いに組付けられた状態でフランジ部５２ａに固定される。
【００３０】
カバー部材８をフランジ部５２ａに組付ける際には、図５に示す如く、前部カバー８１の固定部８１ａと、後部カバー８２における前側の固定孔８２ｂとの重畳部分が、第二ねじ４２によりフランジ部５２ａに組付けられる。この際、固定部８１ｂに開口された固定孔８１ｂに第二ねじ４２が挿入される。図４に示す如く、第二ねじ４２による固定部８ｂとフランジ部５２ａとの固定箇所は、カバー部材８における右前・左前・右後・左後の四箇所（各固定部８ｂの前後二箇所）に設けられる。
【００３１】
本実施形態に係る椅子１によれば、カバー部材８の固定部８ｂにおける第一ねじ４１と対向する部分に、カバー部材８を貫通する貫通孔８ｃが開口されている。このため、上記の如くカバー部材８とフランジ部５２ａとを組付けた際には、図４に示す如く貫通孔８ｃを介して第一ねじ４１が下方に露出する。これにより、椅子１において座体６の交換やメンテナンスの際は、作業者が下方から第一ねじ４１を緩めるだけで座体６をガイド機構５から取り外すことができる。即ち、本実施形態に係る椅子１によれば、ガイド機構５からカバー部材８を取り外すことなく、簡易な作業でガイド機構５と座体６との連結を解除できるのである。
【００３２】
また、本実施形態においては貫通孔８ｃの内側に第一ねじ４１が収容される構成であるため、作業者が貫通孔８ｃを手探りで確認することで、第一ねじ４１による固定箇所を認識することができる。つまり、作業者がカバー部材８の下方から覗き込んで第一ねじ４１による固定箇所を探す必要がなく、簡単に第一ねじ４１を操作することが可能となる。
【００３３】
また、椅子１の通常の使用時において、第一ねじ４１は貫通孔８ｃの内側に位置するため、下方から覗き込まない限りは外部から視認されることがない。即ち、第一ねじ４１による固定部分は通常時には見えることがないため、椅子１のデザイン性を損なうことがない。
【００３４】
本実施形態に係る椅子１において、カバー部材８は前部カバー８１と後部カバー８２とに分割可能に構成される。これにより、ガイド機構５に対して別々の方向（前後それぞれの方向）から前部カバー８１と後部カバー８２とを組付けることができるため、カバー部材８を容易に組付けることが可能となる。なお、カバー部材８を三つ以上の部材に分割する構成としても良い。
【００３５】
前部カバー８１と後部カバー８２とを組付けた際には、前部カバー８１により後部カバー８２の切り欠き部８２ａが閉塞される。そして、切り欠き部８２ａによりカバー部材８の底部に挿通孔８ａが形成され、挿通孔８ａに脚柱４が挿通される。本実施形態によれば上記の如く構成することにより、床面Ｆに固定した脚柱４にガイド機構５及び座体６を組付けた後でも、カバー部材８を容易にガイド機構５のフランジ部５２ａに組付けることができる。即ち、ガイド機構５及び座体６を組付けた脚柱４を、後部カバー８２における切り欠き部８２ａの内側に入れた状態で、前部カバー８１と後部カバー８２とを組み合わせることにより、脚柱４をカバー部材８の挿通孔８ａに挿通させることができる。また、カバー部材８において挿通孔８ａの大きさを最小限とすることにより、椅子１のデザイン性を向上させることができる。
【００３６】
また、本実施形態に係る椅子１においては、前部カバー８１の固定部８１ａと、後部カバー８２における前側の固定孔８２ｂとの重畳部分が、第二ねじ４２によりフランジ部５２ａに組付けられる。これにより、前部カバー８１と後部カバー８２とをそれぞれ別々にフランジ部５２ａに組付ける必要がなくなる。即ち、カバー部材８の組付け効率を向上させるとともに、固定具等の部品点数を削減し、椅子１の重量及びコストを抑制することが可能となる。
【符号の説明】
【００３７】
１        椅子                     ２        机
３        ベース体                 ４        脚柱
４ｂ      下端部                   ４ｔ      上端部
５        ガイド機構               ６        座体
６ａ      座部                     ６ｂ      背もたれ部
６ｃ      下面                     ６ｄ      固定孔
８        カバー部材               ８ａ      挿通孔
８ｂ      固定部                   ８ｃ      貫通孔
４１        第一ねじ（第一固定具）
４２        第二ねじ（第二固定具）
４３        鍔付きナット           ５１        支持部材
５２        スライド部材           ５２ａ      フランジ部
５２ｂ      挿通孔                 ５２ｃ      雌ねじ孔
５４        レール部               ５６        レールギヤ
８１        前部カバー             ８１ａ      固定部
８１ｂ      固定孔                 ８２        後部カバー
８２ａ      切り欠き部             ８２ｂ      固定孔  
Ｂ        ボルト                   Ｆ        床面
Ｓ        スペーサ
【図１】
2019083950.tif 000003
【図２】
2019083950.tif 000004
【図３】
2019083950.tif 000005
【図４】
2019083950.tif 000006
【図５】
2019083950.tif 000007